(57)【要約】【課題】天井裏における通気性を良好にして換気を安定して行うことができ、しかも施工作業の簡略化を図ることができる天井裏通気用スペーサ及び天井裏通気構造を提供する。【解決手段】天井裏通気用スペーサ１は天井裏の梁１２に沿って配設される。天井裏通気用スペーサ１は、底壁２と、底壁２の両側縁から上方に突出する一対の側壁３、４とからなり、底壁２と側壁３、４の内面に跨る凸条５及び凹条６を梁長手方向に沿って交互に形成した波形基板７にて構成される。天井裏通気用スペーサ１を、底壁２内面の凸条５を梁１２下面１３に当接状として、梁１２に取付ける。底壁２内面の凹条６と梁１２下面１３とで、一方の側壁３に対応する梁１２の第１側面２７側と他方の側壁４に対応する梁１２の第２側面２８側とを連通する通気路２３を形成する。【選択図】図１
2007016468.tif 000002
【特許請求の範囲】
【請求項１】
天井裏の梁（１２）に沿って配設される天井裏通気用スペーサであって、底壁（２）と、この底壁（２）の両側縁から上方に突出する一対の側壁（３）（４）とからなり、これら底壁（２）と側壁（３）（４）の内面に跨る凸条（５）及び凹条（６）を梁長手方向に沿って交互に形成した波形基板（７）にて構成され、上記底壁（２）内面の凸条（５）を梁（１２）下面（１３）に当接状として梁（１２）に取付けた状態において、少なくとも、上記底壁（２）内面の凹条（６）と梁（１２）下面（１３）とで、一方の側壁（３）に対応する梁（１２）の第１側面（２７）側と他方の側壁（４）に対応する梁（１２）の第２側面（２８）側とを連通する通気路（２３）を構成することを特徴とする天井裏通気用スペーサ。
【請求項２】
上記波形基板（７）が薄肉合成樹脂板からなり、幅方向に沿って切断可能としたことを特徴とする請求項１の天井裏通気用スペーサ。
【請求項３】
天井裏の梁（１２）に沿って配設される天井裏通気用スペーサ（１）を備えた天井裏通気構造であって、上記天井裏通気用スペーサ（１）は、底壁（２）と、この底壁（２）の両側縁から上方に突出する一対の側壁（３）（４）とからなり、これら底壁（２）と側壁（３）（４）の内面に跨る凸条（５）及び凹条（６）を梁長手方向に沿って交互に形成した波形基板（７）にて構成され、上記天井裏通気用スペーサ（１）を、底壁（２）内面の凸条（５）を梁（１２）下面（１３）に当接状として梁（１２）に取付けて、少なくとも、この底壁（２）内面の凹条（６）と梁（１２）下面（１３）とで、一方の側壁（３）に対応する梁（１２）の第１側面（２７）側と他方の側壁（４）に対応する梁（１２）の第２側面（２８）側とを連通する通気路（２３）を形成することを特徴とする天井裏通気構造。
【請求項４】
上記天井裏通気用スペーサ（１）が断熱層（２０）に埋設されることを特徴とする請求項３の天井裏通気構造。
【請求項５】
上記梁（１２）が木質の角材からなり、上記天井裏通気用スペーサ（１）が針や釘等の打ち込みによってこの梁（１２）に固定されることを特徴とする請求項３又は請求項４の天井裏通気構造。
【発明の詳細な説明】
【技術分野】
【０００１】
この発明は、天井裏の梁下に取付けて天井裏空間の通気を良好にするための天井裏通気用スペーサ及び天井裏通気構造に関するものである。
【背景技術】
【０００２】
一般に、陸屋根やバルコニー等の下側の天井裏の換気に際しては、天井の水平投影面積による換気量換算にのみ重点をおいて、その通気経路に関する規定が曖昧となっている。このため、特に断熱材を設けた天井では、天井懐の小さい部位において、断熱材内に梁が埋まってしまって、梁下の通気路が遮断されていることが多い。このような場合に、冬場等にて、天井裏に室内側から高湿度の空気が流入すれば、その高湿度の空気が天井裏空間において滞留し易くなって、天井裏において結露が発生する。このため、各構造体に腐朽が生じることによって耐久性が低下するおそれがあった。また、従来では、天井裏への漏気を減少させるために、室内側に防湿層を形成する場合があった。しかしながら、このような防湿層を形成したとしても、室内側への防湿機能は完全ではない。このため、天井裏においては換気を必要としていた。
【０００３】
ところで、屋根裏には、室内の空気を室外へ排出するための換気路が形成されることがある（例えば、特許文献１、特許文献２、及び特許文献３参照）。
【特許文献１】特開平９−４９１１号公報
【特許文献２】特開２００２−１６８５０６号公報
【特許文献３】特開２００５−９７１９号公報
【特許文献４】登録実用新案第３０４９６４９号公報
【発明の開示】
【発明が解決しようとする課題】
【０００４】
しかしながら、このような換気路は筒体からなるダクトであり、室内側の空気を室外に排出するものであって、天井裏の空気の換気を行うものではなく、上記のような結露の問題を解決するものではない。また、上記特許文献２及び特許文献３に記載のものでは、梁の下方に配設される梁下ダクトを備える。この梁下ダクトは、梁の下面に対応する扁平筒部と、この扁平筒部の端部に連設される端部筒部とを有するものである。したがって、このような梁下ダクトを使用して、梁下にこの梁下ダクトを配置すれば、断熱材が設けられているような場合でも、梁の下方において通気経路を確保することができる。
【０００５】
しかしながら、梁下ダクトを使用して通気経路を確保したとしても、その通気量は少なく、天井裏空間全体における通気効率を十分に高めることができない。しかも、梁下ダクトの梁下への配設作業は面倒で、現場での施工作業の煩雑化及びコスト高を招いていた。
【０００６】
この発明は、上記従来の欠点を解決するためになされたものであって、その目的は、天井裏における通気性を良好にして換気を安定して行うことができ、しかも施工作業の簡略化を図ることができる天井裏通気用スペーサ及び天井裏通気構造を提供することにある。
【課題を解決するための手段】
【０００７】
上記の課題を解決するために、この発明の天井裏通気用スペーサは、天井裏の梁１２に沿って配設される天井裏通気用スペーサであって、底壁２と、この底壁２の両側縁から上方に突出する一対の側壁３、４とからなり、これら底壁２と側壁３、４の内面に跨る凸条５及び凹条６を梁長手方向に沿って交互に形成した波形基板７にて構成され、上記底壁２内面の凸条５を梁１２下面１３に当接状として梁１２に取付けた状態において、少なくとも、上記底壁２内面の凹条６と梁１２下面１３とで、一方の側壁３に対応する梁１２の第１側面２７側と他方の側壁４に対応する梁１２の第２側面２８側とを連通する通気路２３を構成することを特徴としている。
【０００８】
また、上記波形基板７が薄肉合成樹脂板からなり、幅方向に沿って切断可能している。
【０００９】
この発明の天井裏通気構造は、天井裏の梁１２に沿って配設される天井裏通気用スペーサ１を備えた天井裏通気構造であって、上記天井裏通気用スペーサ１は、底壁２と、この底壁２の両側縁から上方に突出する一対の側壁３、４とからなり、これら底壁２と側壁３、４の内面に跨る凸条５及び凹条６を梁長手方向に沿って交互に形成した波形基板７にて構成され、上記天井裏通気用スペーサ１を、底壁２内面の凸条５を梁１２下面１３に当接状として梁１２に取付けて、少なくとも、この底壁２内面の凹条６と梁１２下面１３とで、一方の側壁３に対応する梁１２の第１側面２７側と他方の側壁４に対応する梁１２の第２側面２８側とを連通する通気路２３を形成することを特徴としている。
【００１０】
上記天井裏通気用スペーサ１が断熱層２０に埋設される。上記梁１２が木質の角材からなり、上記天井裏通気用スペーサ１が針や釘等の打ち込みによってこの梁１２に固定される。
【発明の効果】
【００１１】
この発明の天井裏通気用スペーサを使用した天井裏通気構造においては、この天井裏通気用スペーサ（正面視おいて略Ｕ字状とされるスペーサ）を梁下の狭小なスペースに配置して、梁の第１側面（一方の側壁に対応する梁の側面）側と第２側面（第１側面に相対面して、他方の側壁に対応する梁の側面）側との間に通気路を確保するので、空気は、梁の第１側面側から第２側面側へと流れたり、逆に第２側面側から第１側面側へと流れたりする。このため、天井裏の換気を安定して行うことができる。また、波形基板の複数の凹条によって通気路を形成するので、通気路を梁１２の長手方向の略全体にわたって多数設けることができ、通気量を多くして天井裏における換気を安定して行うことができる。これによって、天井裏における湿気による結露の発生を防止でき、換気ガラリ等のポイント的な換気孔でも十分な換気量を期待することができる。
【００１２】
さらに、天井裏通気用スペーサは波形基板にて構成されるので、軽量化を図ることができ、現場への搬送が容易である。さらに、波形基板が薄肉合成樹脂板からなり、幅方向に沿って切断可能であるので、波形基板を幅方向に沿って切断することによって、任意の長さの天井裏通気用スペーサを構成することができ、種々の梁の長さに対応させることができる。すなわち、天井裏通気用スペーサの長さを変えることができ、このスペーサを種々の状況に応じて適宜配置することができる。また、この天井裏通気用スペーサは梁下側に配設（配置）されるので、梁上に屋根面（バルコニー床面）の合板等を直接固定することができ、安定した水平構面を構築できると共に、上記したように換気経路を確保することができる。このため、構造強度が高く、耐久性の高いフラット屋根（バルコニー）等を実現できる。
【００１３】
また、天井裏通気用スペーサが針や釘等の打ち込みによって梁に固定されるので、専用の取付部材を必要とせず、設置作業（施工作業）の簡略化が可能となって、施工日数の短縮を図ることができると共に、作業者は熟練した職人の技術を必要としない。
【発明を実施するための最良の形態】
【００１４】
次に、この発明の天井裏通気用スペーサ及び天井裏通気構造の具体的な実施の形態について、図面を参照しつつ詳細に説明する。図１は天井裏通気用スペーサの側面図であり、図２はその正面図であり、図３は図１のＡ−Ａ線断面図であり、図４は図１のＢ−Ｂ線断面図である。天井裏通気用スペーサ１は、底壁２と、この底壁２の両側縁から斜め上方に突出する一対の側壁３、４とを有する。このため、この天井裏通気用スペーサ１は、正面視において、略Ｕ字状（倒立台形状）となっている。
【００１５】
この場合、天井裏通気用スペーサ１は、図５と図６に示すように、底壁２と側壁３、４の内面に跨る凸条５及び凹条６を梁長手方向に沿って交互に形成した波形基板７にて構成される。すなわち凸条５及び凹条６は天井裏通気用スペーサ１の一方の側端縁８から他方の側端縁９に至る。また、凸条５と凹条６とはその断面形状がそれぞれコの字状とされ、底壁２における各凸条５・・の上面１０・・は略同一高さとされ、後述するように梁１２の下面１３に当接する。なお、側壁３、４の凸条５・・の側端縁８、９側に水平部３０、３１とされている。
【００１６】
このように構成された天井裏通気用スペーサ１は、図７に示すように、天井裏の梁１２に付設される。すなわち、天井裏には、この天井裏通気用スペーサ１が付設される梁１２と、この梁１２に対して略直交するように配置される根太１５とが配置されている。この梁１２と根太１５とは、連結用ブラケット１６を介して連結される。また、梁１２と根太１５との上方には床版１７が設置され、梁１２と根太１５との下方には天井構成部材１８が設けられている。なお、天井構成部材１８は、例えば、梁１２と根太１５とによって支持された野縁受けと、この野縁受けの下側に取付けられた野縁と、この野縁の下側に取付けられる天井材とからなる。また、この場合の天井裏は、陸屋根やバルコニー等に下側の屋根裏を含むものである。
【００１７】
また、天井構成部材１８上には断熱層２０が配置されている。この際、断熱層２０は、下断熱材２１と上断熱材２２とを有し、天井裏通気用スペーサ１が付設される梁１２に対応する上断熱材２２の一部を切欠いている。そして、天井裏通気用スペーサ１は、底壁２内面の凸条５を梁１２下面１３に当接状として梁１２に取付けている。そして、天井裏通気用スペーサ１は、針や釘等に打ち込みによってこの梁１２に固定される。
【００１８】
このように、天井裏通気用スペーサ１を梁１２に固定することによって、梁１２の第１側面２７（スペーサ１の一方の側壁３に対応する側面）側から梁１２下面１３を介して梁１２の第２側面２８（第１側面２７に相対面して、スペーサ１の他方の側壁４に対応する側面）側に連通される通気路２３・・が形成される。すなわち、梁１２下面１３とこれに対応する底壁２内面の凹条６とで、空気が流れる貫通孔２４を形成することができ、また、側壁３、４内面の凹条６によって、空気が導入・導出される案内溝２５、２６が形成され、この案内溝２５、２６が貫通孔２４の両開口部にそれぞれ連設される。これによって、一方の側壁３の案内溝２５と、これに連通される貫通孔２４と、これに連通される他方の側壁４の案内溝２６とで、一つの通気路２３が構成される。このため、天井裏通気用スペーサ１を梁１２に固定することによって、梁１２の長手方向に沿って複数の通気路（長手方向と略直交する幅方向の通気路）２３が形成される。この場合、案内溝２５、２６の開口部（外側方開口部）が上記断熱層２０よりも上方に開口している。また、凸条５・・によっても通気路３３・・が形成される。すなわち、この凸条５は、天井裏通気用スペーサ１の外面側において、凹条３４（図４参照）を構成することになる。このため、この凹条３４と断熱層２０との間において通気路３３を形成することができる。従って、この通気路３３であっても、梁１２の第１側面２７側から梁１２下面１３を介して梁１２の第２側面２８側に連通される。
【００１９】
上記天井裏通気用スペーサ１を使用した天井裏通気構造によれば、この天井裏通気用スペーサ（正面視おいて略Ｕ字状とされるスペーサ）を梁下の狭小なスペースに配置して、梁１２の第１側面２７（一方の側壁３に対応する梁の側面）側と第２側面２８（第１側面２７に相対面して、他方の側壁４に対応する梁の側面）側との間に通気路２３を確保するので、空気は、梁１２の第１側面２７側から第２側面２８側へと流れたり、逆に第２側面２８側から第１側面２７側へと流れたりする。この実施の形態では、天井裏通気用スペーサ１の外面側にも通気路３３を確保しているので、通気性に優れる。特に、案内溝２５、２６の開口部（外側方開口部）が断熱層２０よりも上方に開口しているので、通気は断熱層２０に妨げられることない。このため、天井裏の換気を安定して行うことができる。また、波形基板の複数の凹条６によって通気路２３を形成するので、通気路２３を梁１２の長手方向の略全体にわたって多数設けることができ、通気量を多くして天井裏における換気を安定して行うことができる。これによって、天井裏における湿気による結露の発生を防止でき、換気ガラリ等のポイント的な換気孔でも十分な換気量を期待することができる。さらに、天井裏通気用スペーサ１は波形基板にて構成されるので、軽量化を図ることができ、現場への搬送が容易である。また、この天井裏通気用スペーサは梁下側に配設（配置）されるので、梁上に屋根面（バルコニー床面）の合板等を直接固定することができ、安定した水平構面を構築できると共に、上記したように換気経路を確保することができる。このため、構造強度が高く、耐久性の高いフラット屋根（バルコニー）等を実現できる。
【００２０】
また、波形基板７が薄肉合成樹脂板からなり、幅方向に沿って切断可能であるので、波形基板７を幅方向に沿って切断することによって、任意の長さの天井裏通気用スペーサ１を構成することができ、種々の梁１２の長さに対応させることができる。すなわち、天井裏通気用スペーサ1の長さを変えることができ、このスペーサ1を種々の状況に応じて適宜配置することができる。さらに、天井裏通気用スペーサ1が針や釘等の打ち込みによって梁１２に固定されるので、専用の取付部材を必要とせず、設置作業（施工作業）の簡略化が可能となって、施工日数の短縮を図ることができると共に、作業者は熟練した職人の技術を必要としない。
【００２１】
また、天井裏通気用スペーサ１が断熱層２０に埋設されるので、この天井裏通気構造設置のために、天井裏スペースを大きくすることなく、通気路２３を確保することができる。さらに、天井裏通気用スペーサ１が針ら釘等に打ち込みによって梁１２に固定されるので、設置作業（施工作業）の簡略化が可能となって、施工日数の短縮を図ることができると共に、作業者は熟練した職人の技術を必要としない。
【００２２】
以上にこの発明の具体的な実施の形態について説明したが、この発明は上記形態に限定されるものではなく、この発明の範囲内で種々変更して実施することができる。例えば、上記実施形態では、梁１２を木質の角材としたが、梁１２として、Ｈ形鋼等を使用する鉄筋構造のものであってもよい。また、天井裏通気用スペーサ１の長手方向の長さとして、梁１２の全長に至る長さのものであっても、一部にのみ対応する長さのものであってもよい。すなわち、凹条６の大きさ等にもよるが、天井裏の換気を十分行えるものであれば、天井裏通気用スペーサ１の長手方向の長さを種々変更することができる。さらに、一つの天井裏通気用スペーサ１における凸条５及び凹条６の数、長手方向長さ、凹条６の深さ等の変更も任意である。また、天井裏通気用スペーサ１は合成樹脂や金属等にて構成することができ、合成樹脂の種類としても、熱硬化性樹脂や熱可塑性樹脂等の種々のものを使用することができる。さらに、側壁（立上壁）３、４の高さ寸法、底壁２の幅方向長さ等を変更することによって、種々の梁１２に対応することができる。また、天井裏通気用スペーサ１の側壁３、４の傾斜角度としては任意に設定でき、例えば底壁２に対して略垂直に立ち上がるものであってもよく、さらには側壁３、４毎に傾斜角度が異なるものであってもよい。すなわち、形成される通気路２３を介して、空気が、梁１２の第１側面２７側から第２側面２８側へと流れたり、逆に第２側面２８側から第１側面２７側へと流れたりすればよい。また、上記実施形態では、凸条５によって、スペーサ１の外側において通気路３３を構成するようにしていたが、このような通気路３３を形成しないものであってもよい。なお、天井裏通気用スペーサ１をビニル樹脂等の合成樹脂で覆って外部からの吹込みを防止することによって、ブローイング構法への展開も可能である。
【図面の簡単な説明】
【００２３】
【図１】この発明の天井裏通気用スペーサの実施形態を示す側面図である。
【図２】上記天井裏通気用スペーサの正面図である。
【図３】上記図１のＡ−Ａ線断面図である。
【図４】上記図１のＢ−Ｂ線断面図である。
【図５】上記天井裏通気用スペーサの断面側面図である。
【図６】上記天井裏通気用スペーサの斜視図である。
【図７】この発明の天井裏通気構造の実施形態を示す断面図である。
【符号の説明】
【００２４】
１・・天井裏通気用スペーサ、２・・底壁、３、４・・側壁、５・・凸条、６・・凹条、７・・波形基板、１２・・梁、１３・・下面、２０・・断熱層、２３・・通気路、２７・・第１側面、２８・・第２側面
【図１】
2007016468.tif 000003
【図２】
2007016468.tif 000004
【図３】
2007016468.tif 000005
【図４】
2007016468.tif 000006
【図５】
2007016468.tif 000007
【図６】
2007016468.tif 000008
【図７】
2007016468.tif 000009